(57)【要約】【課題】  本発明の目的とするところは、多様なインターフェース方式でモバイル装置が接続できるコネクタおよびインターフェース装置を提供することにある。【解決手段】  本コネクタは、順次に番号が指定される複数のコンタクトロケーション（ｃｏｎｔａｃｔ  ｌｏｃａｔｉｏｎ）と、複数のコンタクトロケーションを収容するハウジング（ｈｏｕｓｉｎｇ）とを含み、複数のコンタクトロケーションは、第１データ伝送のために指定された第１ペアコンタクトロケーショングループと、第２データ伝送のために指定された第２ペアコンタクトロケーショングループとを含む。【選択図】図１
2011248891.tif 000002
【特許請求の範囲】
【請求項１】
携帯用のデバイスを接続するコネクタにおいて、
順次に番号が指定される複数のコンタクトロケーション（ｃｏｎｔａｃｔ  ｌｏｃａｔｉｏｎ）と、
前記複数のコンタクトロケーションを収容するハウジング（ｈｏｕｓｉｎｇ）と、
を含み、
前記複数のコンタクトロケーションは、
第１データ伝送のために指定された第１ペアコンタクトロケーショングループと、
第２データ伝送のために指定された第２ペアコンタクトロケーショングループと、
を含むことを特徴とするコネクタ。
【請求項２】
前記第１ペアコンタクトロケーショングループは、
ディファレンシャルシグナリング（ｄｉｆｆｅｒｅｎｔｉａｌ  ｓｉｇｎａｌｉｎｇ）のための第１ペアプラスコンタクトロケーションおよび第１ペアマイナスコンタクトロケーションを含むことを特徴とする請求項１に記載のコネクタ。
【請求項３】
前記コネクタは、Ｍｉｃｒｏ  ＵＳＢ（Ｕｎｉｖｅｒｓａｌ  Ｓｅｒｉａｌ  Ｂｕｓ）コネクタ、Ｍｉｎｉ  ＵＳＢコネクタ、ＵＳＢコネクタ、ＭＨＬ（Ｍｏｂｉｌｅ  Ｈｉｇｈ−Ｄｅｆｉｎｉｔｉｏｎ  Ｌｉｎｋ）コネクタおよびＤｉｉＶＡ（Ｄｉｇｉｔａｌ  Ｉｎｔｅｒｆａｃｅ  ｆｏｒ  Ｖｉｄｅｏ  ａｎｄ  Ａｕｄｉｏ）コネクタのうち、少なくとも一つのコネクタと互換可能であることを特徴とする請求項１に記載のコネクタ。
【請求項４】
前記コネクタは、５ピン（ｐｉｎ）用のコネクタおよび６ピン（ｐｉｎ）用のコネクタのうち、少なくとも一つであることを特徴とする請求項１に記載のコネクタ。
【請求項５】
前記複数のコンタクトロケーションは、
グラウンド処理のためのグラウンドコンタクトロケーションを更に含むことを特徴とする請求項１に記載のコネクタ。
【請求項６】
前記第１ペアコンタクトロケーショングループは１および２のナンバーとして指定され、
前記第２ペアコンタクトロケーショングループは３および４のナンバーとして指定され、
前記グラウンドコンタクトロケーションは５のナンバーとして指定されることを特徴とする請求項５に記載のコネクタ。
【請求項７】
前記コネクタはＭｉｃｒｏ  ＵＳＢコネクタと互換が可能であり、
前記第１ペアコンタクトロケーショングループの第１ペアプラスコンタクトロケーションはＭｉｃｒｏ  ＵＳＢのＶＣＣコンタクトロケーションに該当し、
前記第１ペアコンタクトロケーショングループの第１ペアマイナスコンタクトロケーションはＭｉｃｒｏ  ＵＳＢのＤＡＴＡ−コンタクトロケーションに該当し、
前記第２ペアコンタクトロケーショングループの第２ペアプラスコンタクトロケーションはＭｉｃｒｏ  ＵＳＢのＤＡＴＡ＋コンタクトロケーションに該当し、
前記第２ペアコンタクトロケーショングループの第２ペアマイナスコンタクトロケーションはＭｉｃｒｏ  ＵＳＢのＩＤコンタクトロケーションに該当し、
前記グラウンドコンタクトロケーションはＭｉｃｒｏ  ＵＳＢのＧＮＤコンタクトロケーションに該当することを特徴とする請求項５に記載のコネクタ。
【請求項８】
前記コネクタはＵＳＢコネクタと互換が可能であり、
前記第１ペアコンタクトロケーショングループの第１ペアプラスコンタクトロケーションはＵＳＢのＶＣＣコンタクトロケーションに該当し、
前記第１ペアコンタクトロケーショングループの第１ペアマイナスコンタクトロケーションはＵＳＢのＤＡＴＡ−コンタクトロケーションに該当し、
前記第２ペアコンタクトロケーショングループの第２ペアプラスコンタクトロケーションはＵＳＢのＤＡＴＡ＋コンタクトロケーションに該当し、
前記第２ペアコンタクトロケーショングループの第２ペアマイナスコンタクトロケーションはＵＳＢのＧＮＤコンタクトロケーションに該当することを特徴とする請求項５に記載のコネクタ。
【請求項９】
前記コネクタはＭＨＬコネクタと互換が可能であり、
前記第１ペアコンタクトロケーショングループの第１ペアプラスコンタクトロケーションはＭＨＬのＶＢＵＳコンタクトロケーションに該当し、
前記第１ペアコンタクトロケーショングループの第１ペアマイナスコンタクトロケーションはＭＨＬのＭＨＬ−コンタクトロケーションに該当し、
前記第２ペアコンタクトロケーショングループの第２ペアプラスコンタクトロケーションはＭＨＬのＭＨＬ＋コンタクトロケーションに該当し、
前記第２ペアコンタクトロケーショングループの第２ペアマイナスコンタクトロケーションはＭＨＬのＣＢＵＳコンタクトロケーションに該当し、
前記グラウンドコンタクトロケーションはＭＨＬのＭＨＬ  ＧＮＤコンタクトロケーションに該当することを特徴とする請求項５に記載のコネクタ。
【請求項１０】
前記複数のコンタクトロケーションは、
特定パワーを伝送する電源コンタクトロケーションを更に含むことを特徴とする請求項５に記載のコネクタ。
【請求項１１】
前記コネクタはＤｉｉＶＡコネクタと互換が可能であり、
前記第１ペアコンタクトロケーショングループはＤｉｉＶＡのＶＬＯコンタクトロケーションに該当し、
前記第２ペアコンタクトロケーショングループはＤｉｉＶＡのＧＮＤコンタクトロケーションに該当し、
前記グラウンドコンタクトロケーションはＤｉｉＶＡのＨＬ＋コンタクトロケーションに該当し、
前記電源コンタクトロケーションはＤｉｉＶＡのＨＬ−コンタクトロケーションに該当することを特徴とする請求項１０に記載のコネクタ。
【請求項１２】
携帯用のデバイスをインターフェースするインターフェース装置において、
順次に番号が指定される複数のコンタクトロケーション（ｃｏｎｔａｃｔ  ｌｏｃａｔｉｏｎ）と、
前記複数のコンタクトロケーションを収容する収容部と、
を含み、
前記複数のコンタクトロケーションは、
第１データ伝送のために指定された第１ペアコンタクトロケーショングループと、
第２データ伝送のために指定された第２ペアコンタクトロケーショングループと、
を含むことを特徴とするインターフェース装置。
【請求項１３】
前記収容部は、Ｍｉｃｒｏ  ＵＳＢ（Ｕｎｉｖｅｒｓａｌ  Ｓｅｒｉａｌ  Ｂｕｓ）用の収容部、Ｍｉｎｉ  ＵＳＢ用の収容部、ＵＳＢ用の収容部、ＭＨＬ（Ｍｏｂｉｌｅ  Ｈｉｇｈ−Ｄｅｆｉｎｉｔｉｏｎ  Ｌｉｎｋ）用の収容部およびＤｉｉＶＡ（Ｄｉｇｉｔａｌ  Ｉｎｔｅｒｆａｃｅ  ｆｏｒ  Ｖｉｄｅｏ  ａｎｄ  Ａｕｄｉｏ）用の収容部のうち、少なくとも一つの収容部であることを特徴とする請求項１２に記載のインターフェース装置。
【請求項１４】
前記収容部は、５ピン（ｐｉｎ）用の収容部および６ピン（ｐｉｎ）用の収容部のうち、少なくとも一つであることを特徴とする請求項１２に記載のインターフェース装置。
【請求項１５】
前記複数のコンタクトロケーションは、
グラウンド処理のためのグラウンドコンタクトロケーションを更に含むことを特徴とする請求項１２に記載のインターフェース装置。
【発明の詳細な説明】
【技術分野】
【０００１】
本発明は、コネクタおよびインターフェース装置に関し、より詳細には、多様なインターフェース方式でモバイル装置が接続できるコネクタおよびインターフェース装置に関する。
【背景技術】
【０００２】
ケーブルコネクタは二つの電子機器間で電気的な信号を伝達する装置である。例えば、このようなケーブルコネクタは、ＨＤＭＩケーブル、ＵＳＢケーブルコネクタ、オーディオケーブルコネクタ、ビデオケーブルコネクタなどが用いられることができる。
【０００３】
最近の電子機器は多様な外部機器と接続され得るため、多様な外部機器と接続するための多様な規格のコネクタを備えている。例えば、最近のテレビは、ＤＶＤプレーヤ、セットトップボックス、スピーカ、コンピュータ、携帯電話、ＭＰ３、ＰＭＰなどと接続されることができるため、上述のＨＤＭＩケーブルコネクタ、ＵＳＢケーブルコネクタ、Ｍｉｃｒｏ  ＵＳＢ、オーディオケーブルコネクタ、ビデオケーブルコネクタなどを備える。
【０００４】
しかしながら、装置ごとに異なるケーブルコネクタを用いることは電子機器間の互換性の側面から望ましくないということから、複数の電子機器に対して映像・音声・制御信号を容易に伝送できるコネクタを開発することが求められている。
【先行技術文献】
【特許文献】
【０００５】
【特許文献１】韓国特開第２００６−００９５３８６号公報
【特許文献２】韓国特開第２００６−０１１３４５５号公報
【特許文献３】韓国登録特許第１０−０９０５７９５号公報
【特許文献４】韓国特開第２００５−０１２０３７３号公報
【発明の概要】
【発明が解決しようとする課題】
【０００６】
そこで、本発明の目的とするところは、多様なインターフェース方式でモバイル装置が接続できるコネクタおよびインターフェース装置を提供することにある。
【課題を解決するための手段】
【０００７】
前記目的を達成するための本発明の一実施形態に係るコネクタは、順次に番号が指定される複数のコンタクトロケーション（ｃｏｎｔａｃｔ  ｌｏｃａｔｉｏｎ）と、前記複数のコンタクトロケーションを収容するハウジング（ｈｏｕｓｉｎｇ）とを含み、前記複数のコンタクトロケーションは、第１データ伝送のために指定された第１ペアコンタクトロケーショングループと、第２データ伝送のために指定された第２ペアコンタクトロケーショングループとを含む。
【０００８】
この場合、前記第１ペアコンタクトロケーショングループは、ディファレンシャルシグナリング（ｄｉｆｆｅｒｅｎｔｉａｌ  ｓｉｇｎａｌｉｎｇ）のための第１ペアプラスコンタクトロケーションおよび第１ペアマイナスコンタクトロケーションを含むことが望ましい。
【０００９】
一方、前記コネクタは、Ｍｉｃｒｏ  ＵＳＢ（ｕｎｉｖｅｒｓａｌ  ｓｅｒｉａｌ  ｂｕｓ）コネクタ、Ｍｉｎｉ  ＵＳＢコネクタ、ＵＳＢコネクタ、ＭＨＬ（Ｍｏｂｉｌｅ  Ｈｉｇｈ−Ｄｅｆｉｎｉｔｉｏｎ  Ｌｉｎｋ）コネクタおよびＤｉｉＶＡ（Ｄｉｇｉｔａｌ  Ｉｎｔｅｒｆａｃｅ  ｆｏｒ  Ｖｉｄｅｏ  ａｎｄ  Ａｕｄｉｏ）コネクタのうち、少なくとも一つのコネクタと互換可能であることが望ましい。
【００１０】
一方、前記コネクタは、５ピン（ｐｉｎ）用のコネクタおよび６ピン（ｐｉｎ）用のコネクタのうち、少なくとも一つであることが望ましい。
【００１１】
一方、前記複数のコンタクトロケーションは、グラウンド処理のためのグラウンドコンタクトロケーションを更に含んでよい。
【００１２】
この場合、前記第１ペアコンタクトロケーショングループは１および２のナンバーとして指定され、前記第２ペアコンタクトロケーショングループは３および４のナンバーとして指定され、前記グラウンドコンタクトロケーションは５のナンバーとして指定されることが望ましい。
【００１３】
一方、前記コネクタはＭｉｃｒｏ  ＵＳＢコネクタと互換が可能であり、前記第１ペアコンタクトロケーショングループの第１ペアプラスコンタクトロケーションはＭｉｃｒｏ  ＵＳＢのＶＣＣコンタクトロケーションに該当し、前記第１ペアコンタクトロケーショングループの第１ペアマイナスコンタクトロケーションはＭｉｃｒｏ  ＵＳＢのＤＡＴＡ−コンタクトロケーションに該当し、前記第２ペアコンタクトロケーショングループの第２ペアプラスコンタクトロケーションはＭｉｃｒｏ  ＵＳＢのＤＡＴＡ＋コンタクトロケーションに該当し、前記第２ペアコンタクトロケーショングループの第２ペアマイナスコンタクトロケーションはＭｉｃｒｏ  ＵＳＢのＩＤコンタクトロケーションに該当し、前記グラウンドコンタクトロケーションはＭｉｃｒｏ  ＵＳＢのＧＮＤコンタクトロケーションに該当することが望ましい。
【００１４】
一方、前記コネクタはＵＳＢコネクタと互換が可能であり、前記第１ペアコンタクトロケーショングループの第１ペアプラスコンタクトロケーションはＵＳＢのＶＣＣコンタクトロケーションに該当し、前記第１ペアコンタクトロケーショングループの第１ペアマイナスコンタクトロケーションはＵＳＢのＤＡＴＡ−コンタクトロケーションに該当し、前記第２ペアコンタクトロケーショングループの第２ペアプラスコンタクトロケーションはＵＳＢのＤＡＴＡ＋コンタクトロケーションに該当し、前記第２ペアコンタクトロケーショングループの第２ペアマイナスコンタクトロケーションはＵＳＢのＧＮＤコンタクトロケーションに該当することが望ましい。
【００１５】
一方、前記コネクタはＭＨＬコネクタと互換が可能であり、前記第１ペアコンタクトロケーショングループの第１ペアプラスコンタクトロケーションはＭＨＬのＶＢＵＳコンタクトロケーションに該当し、前記第１ペアコンタクトロケーショングループの第１ペアマイナスコンタクトロケーションはＭＨＬのＭＨＬ−コンタクトロケーションに該当し、前記第２ペアコンタクトロケーショングループの第２ペアプラスコンタクトロケーションはＭＨＬのＭＨＬ＋コンタクトロケーションに該当し、前記第２ペアコンタクトロケーショングループの第２ペアマイナスコンタクトロケーションはＭＨＬのＣＢＵＳコンタクトロケーションに該当し、前記グラウンドコンタクトロケーションはＭＨＬのＭＨＬ  ＧＮＤコンタクトロケーションに該当することが望ましい。
【００１６】
一方、前記複数のコンタクトロケーションは、特定パワーを伝送する電源コンタクトロケーションを更に含んでよい。
【００１７】
この場合、前記コネクタはＤｉｉＶＡコネクタと互換が可能であり、前記第１ペアコンタクトロケーショングループはＤｉｉＶＡのＶＬＯコンタクトロケーションに該当し、前記第２ペアコンタクトロケーショングループはＤｉｉＶＡのＧＮＤコンタクトロケーションに該当し、前記グラウンドコンタクトロケーションはＤｉｉＶＡのＨＬ＋コンタクトロケーションに該当し、前記電源コンタクトロケーションはＤｉｉＶＡのＨＬ−コンタクトロケーションに該当することが望ましい。
【００１８】
一方、本実施形態に係るインターフェース装置は、順次に番号が指定される複数のコンタクトロケーション（ｃｏｎｔａｃｔ  ｌｏｃａｔｉｏｎ）と、前記複数のコンタクトロケーションを収容する収容部とを含み、前記複数のコンタクトロケーションは、第１データ伝送のために指定された第１ペアコンタクトロケーショングループと、第２データ伝送のために指定された第２ペアコンタクトロケーショングループとを含む。
【００１９】
この場合、前記第１ペアコンタクトロケーショングループは、ディファレンシャルシグナリング（ｄｉｆｆｅｒｅｎｔｉａｌ  ｓｉｇｎａｌｉｎｇ）のための第１ペアプラスコンタクトロケーションおよび第１ペアマイナスコンタクトロケーションを含むことが望ましい。
【００２０】
一方、前記収容部は、Ｍｉｃｒｏ  ＵＳＢ（Ｕｎｉｖｅｒｓａｌ  Ｓｅｒｉａｌ  Ｂｕｓ）用の収容部、Ｍｉｎｉ  ＵＳＢ用の収容部、ＵＳＢ用の収容部、ＭＨＬ（Ｍｏｂｉｌｅ  Ｈｉｇｈ−Ｄｅｆｉｎｉｔｉｏｎ  Ｌｉｎｋ）用の収容部およびＤｉｉＶＡ（Ｄｉｇｉｔａｌ  Ｉｎｔｅｒｆａｃｅ  ｆｏｒ  Ｖｉｄｅｏ  ａｎｄ  Ａｕｄｉｏ）用の収容部のうち、少なくとも一つの収容部であることが望ましい。
【００２１】
一方、前記収容部は、５ピン（ｐｉｎ）用の収容部および６ピン（ｐｉｎ）用の収容部のうち、少なくとも一つであることが望ましい。
【００２２】
一方、前記複数のコンタクトロケーションは、グラウンド処理のためのグラウンドコンタクトロケーションを更に含んでよい。
【００２３】
この場合、前記第１ペアコンタクトロケーショングループは１および２のナンバーとして指定され、前記第２ペアコンタクトロケーショングループは３および４のナンバーとして指定され、前記グラウンドコンタクトロケーションは５のナンバーとして指定されることが望ましい。
【００２４】
一方、前記収容部はＭｉｃｒｏ  ＵＳＢ用の収容部と互換が可能であり、前記第１ペアコンタクトロケーショングループの第１ペアプラスコンタクトロケーションはＭｉｃｒｏ  ＵＳＢのＶＢＵＳコンタクトロケーションに該当し、前記第１ペアコンタクトロケーショングループの第１ペアマイナスコンタクトロケーションはＭｉｃｒｏ  ＵＳＢのＤＡＴＡ−コンタクトロケーションに該当し、前記第２ペアコンタクトロケーショングループの第２ペアプラスコンタクトロケーションはＭｉｃｒｏ  ＵＳＢのＤＡＴＡ＋コンタクトロケーションに該当し、前記第２ペアコンタクトロケーショングループの第２ペアマイナスコンタクトロケーションはＭｉｃｒｏ  ＵＳＢのＩＤコンタクトロケーションに該当し、前記グラウンドコンタクトロケーションはＭｉｃｒｏ  ＵＳＢのＧＮＤコンタクトロケーションに該当することが望ましい。
【００２５】
一方、前記収容部はＵＳＢ用の収容部と互換が可能であり、前記第１ペアコンタクトロケーショングループの第１ペアプラスコンタクトロケーションはＵＳＢのＶＣＣコンタクトロケーションに該当し、前記第１ペアコンタクトロケーショングループの第１ペアマイナスコンタクトロケーションはＵＳＢのＤＡＴＡ−コンタクトロケーションに該当し、前記第２ペアコンタクトロケーショングループの第２ペアプラスコンタクトロケーションはＵＳＢのＤＡＴＡ＋コンタクトロケーションに該当し、前記第２ペアコンタクトロケーショングループの第２ペアマイナスコンタクトロケーションはＵＳＢのＧＮＤコンタクトロケーションに該当することが望ましい。
【００２６】
一方、前記収容部はＭＨＬ用の収容部と互換が可能であり、前記第１ペアコンタクトロケーショングループの第１ペアプラスコンタクトロケーションはＭＨＬのＶＢＵＳコンタクトロケーションに該当し、前記第１ペアコンタクトロケーショングループの第１ペアマイナスコンタクトロケーションはＭＨＬのＭＨＬ−コンタクトロケーションに該当し、前記第２ペアコンタクトロケーショングループの第２ペアプラスコンタクトロケーションはＭＨＬのＭＨＬ＋コンタクトロケーションに該当し、前記第２ペアコンタクトロケーショングループの第２ペアマイナスコンタクトロケーションはＭＨＬのＣＢＵＳコンタクトロケーションに該当し、前記グラウンドコンタクトロケーションはＭＨＬのＭＨＬ  ＧＮＤコンタクトロケーションに該当することが望ましい。
【００２７】
一方、前記複数のコンタクトロケーションは、特定パワーを伝送する電源コンタクトロケーションを更に含んでよい。
【００２８】
この場合、前記収容部はＤｉｉＶＡ用の収容部と互換が可能であり、前記第１ペアコンタクトロケーショングループはＤｉｉＶＡのＶＬＯコンタクトロケーションに該当し、前記第２ペアコンタクトロケーショングループはＤｉｉＶＡのＧＮＤコンタクトロケーションに該当し、前記グラウンドコンタクトロケーションはＤｉｉＶＡのＨＬ＋コンタクトロケーションに該当し、前記電源コンタクトロケーションはＤｉｉＶＡのＨＬ−コンタクトロケーションに該当することが望ましい。
【００２９】
一方、前記インターフェース装置は、外部に接続される携帯用のデバイスとスタンバイ状態からウェイクアップさせるウェイクアップ（ｗａｋｅ−ｕｐ）信号を送受信することが望ましい。
【００３０】
この場合、前記第１ペアコンタクトロケーショングループは、前記ウェイクアップ信号を前記携帯用のデバイスと送受信することが望ましい。
【００３１】
一方、前記ウェイクアップ信号は、ウェイクアップ命令のスタートを報知する開始（Ｓｔａｒｔ）フィールド、ウェイクアップのモードを報知するウェイクアップモード（Ｗａｋｅｕｐ  ｍｏｄｅ）フィールド、および確認信号（Ａｃｋ）フィールドを含むことが望ましい。
【００３２】
この場合、前記ウェイクアップのモードは携帯用のデバイスの複数の動作モードそれぞれに対応する複数のウェイクアップモードおよび充電モードを含むことが望ましい。
【００３３】
一方、前記インターフェース装置は、前記複数のコンタクトロケーションのうち、少なくとも二つ以上のコンタクトロケーションを用いて外部の携帯用のデバイスと電源を送受信することが望ましい。
【００３４】
この場合、前記電源を送受信するコンタクトロケーションは、前記第２ペアコンタクトロケーショングループであることが望ましい。
【図面の簡単な説明】
【００３５】
【図１】本発明の一実施形態に係るメディアプレーヤデバイスの構成を示すブロック図である。
【図２】本発明に係るインターフェース装置の構成を示すブロック図である。
【図３】図２の収容部の具体的な形態を示す図である。
【図４】本発明の実施形態に係るコネクタケーブルの構造を示すブロック図である。
【図５】図４のコネクタの具体的な構成を示す図である。
【図６】本発明の一実施形態に係る新たなインターフェース（ＮＩＦ）構造を説明するための図である。
【図７】Ｍｉｃｒｏ  ＵＳＢインターフェース構造を説明するための図である。
【図８】ＵＳＢインターフェース構造を説明するための図である。
【図９】ＭＨＬインターフェース構造を説明するための図である。
【図１０】ＤｉｉＶＡインターフェース構造を説明するための図である。
【図１１】本発明の一実施形態に係る新たなインターフェース（ＮＩＦ）構造によりデータを送受信する方法を説明するための図である。
【図１２】図１１のレーン（ｌａｎｅ）構造を具体的に示す図である。
【図１３】本発明の一実施形態に係る新たなインターフェース（ＮＩＦ）によりメディアプレーヤデバイスをウェイクアップする方法の例を説明するための図である。
【図１４】本実施形態に係るウェイクアップ信号の構造を示す図である。
【図１５】本実施形態に係るウェイクアップ開始命令の構造を示す図である。
【図１６】６ピン用に実現された新たなインターフェース（ＮＩＦ）によりメディアプレーヤデバイスが外部携帯用機器を充電する方法を説明するための図である。
【図１７】５ピン用に実現された新たなインターフェース（ＮＩＦ）によりメディアプレーヤデバイスが外部携帯用機器を充電する方法を説明するための図である。
【図１８】本実施形態に係るメディアプレーヤデバイスがＭｉｃｒｏ  ＵＳＢインターフェースを有するデバイスに接続された場合のインターフェース装置２００の動作を説明するための図である。
【図１９】本実施形態に係るメディアプレーヤデバイスが新たなインターフェース（ＮＩＦ）を有するデバイスに接続された場合のインターフェース装置２００の動作を説明するための図である。
【図２０】本発明の一実施形態に係る互いに異なるインターフェースが適用されるメディアプレーヤデバイスに接続された外部機器の充電方法を示すフローチャートである。
【発明を実施するための形態】
【００３６】
以下に添付図面を参照しながら、本発明の好適な実施の形態について詳細に説明する。
【００３７】
図１は、本発明の一実施形態に係るメディアプレーヤデバイスの構成を示すブロック図である。
【００３８】
図１によると、メディアプレーヤデバイス１００は、電源部１１０と、マイコム（Ｍｉｃｒｏ  Ｃｏｍｐｕｔｅｒ）１２０と、ユーザインターフェース部１３０およびインターフェース装置２００を含む。
【００３９】
メディアプレーヤデバイス１００は、ケーブルコネクタ３００を用いて別の外部の携帯用のデバイス１０−１、１０−２、…、１０−ｎ（以下、外部機器という）と接続される。メディアプレーヤデバイス１００は、デジタルテレビ（ＤＴＶ）、ＤＶＤプレーヤ、セットトップボックスのような放送受信装置のみならず、各種コンテンツを保存するパーソナルコンピュータ、ノートパソコン、ＭＰ３、ＰＭＰ、携帯電話などを含む。そして、携帯用のデバイスは別途の外部電源供給なしにも、一定時間動作が可能なパーソナルコンピュータ、ノートパソコン、ＭＰ３、ＰＭＰ、携帯電話などを含む。
【００４０】
電源部１１０は、メディアプレーヤデバイス１００内の各構成に電源を供給する。電源部１１０はＳＭＰＳ（Ｓｗｉｔｃｈｅｄ−ｍｏｄｅ  ｐｏｗｅｒ  ｓｕｐｐｌｙ）で実現したり、変圧器または整流回路を用いて実現できる。
【００４１】
そして、電源部１１０は、メディアプレーヤデバイス１００の動作状態に応じて異なる電源を出力することができる。例えば、メディアプレーヤデバイス１００が一般モードである場合、電源部１１０はメディアプレーヤデバイス１００内の全構成に電源を供給する一般モード電源を出力することができる。そして、メディアプレーヤデバイス１００がスタンバイモードである場合、電源部１１０はスタンバイのための一部構成のみに電源を供給するスタンバイモード電源を出力することができる。そして、メディアプレーヤデバイス１００が外部機器１０の充電のためだけの充電モードで動作する場合、電源部１１０はスタンバイのための一部構成と外部機器を充電するのに用いられる電源を供給する充電モード電源を出力できる。
【００４２】
マイコン１２０は、メディアプレーヤデバイス１００内の各構成を制御することができる。具体的に、マイコン１２０はユーザの制御またはインターフェース装置２００からメディアプレーヤデバイス１００自らに対するウェイクアップ信号を受信すると、これに対応した電源が出力されるように、電源部１１０を制御することができる。
【００４３】
そして、マイコン１２０は、外部機器に対するウェイクアップ進行のためのウェイクアップ開始命令を生成することができる。具体的に、マイコン１２０はユーザの制御命令または内部規則に従って、外部機器１０−１をウェイクアップするためのウェイクアップ開始命令を生成し、生成されたウェイクアップ開始命令をインターフェース装置２００に伝達することができる。例えば、メディアプレーヤデバイス１００がＤＶＤプレーヤであって、ユーザがＤＶＤ再生をリモコンで指示した場合、マイコン１２０はＤＴＶである外部機器１０−１がウェイクアップできるように、外部機器１０−１に対するウェイクアップ開始命令を生成してインターフェース装置２００に伝達することができる。このとき、生成されるウェイクアップ開始命令の具体的な構成については図１５を参考に後述する。
【００４４】
そして、マイコン１２０は、充電可能な外部機器１０−１がインターフェース装置２００に接続される場合、電源部１１０が外部機器１０−１に充電電源を供給するように電源部１１０を制御することができる。具体的に、インターフェース装置２００を介して接続された外部機器１０−１が充電可能な装置として認識された場合、マイコン１２０はインターフェース装置２００を介して充電モード電源または一般モード電源が外部機器１０−１に供給されるように、電源部１１０を制御することができる。このとき、外部機器１０−１に対する充電が完了したり接続が解除されると、マイコン１２０は外部機器１０−１に供給される電源が遮断されるようにすることができる。
【００４５】
ユーザインターフェース部１３０は、メディアプレーヤデバイス１００でサポートする各種機能をユーザが設定または選択できる多数の機能キーを備え、タッチパッドなどのように、入力と出力が同時に実現される装置として実現されたり、キーボード、マウス、無線リモコンのような入力装置と、ＬＣＤやＣＲＴやスピーカのような出力装置を結合して実現することもできる。
【００４６】
そして、ユーザインターフェース部１３０は、メディアプレーヤデバイス１００内のコンテンツを出力したり、インターフェース装置２００を介して伝達された外部機器１０のコンテンツを出力することができる。
【００４７】
そして、ユーザインターフェース部１３０は接続された外部機器１０−１が充電中である場合、当該外部機器１０−１に対する充電状態を表示することができる。
【００４８】
インターフェース装置２００は、メディアプレーヤデバイス１００を外部機器１０と接続するために形成される。具体的に、インターフェース装置２００は複数のケーブルコネクタ３００−１、３００−２、…、３００−ｎを介して複数の外部機器１０−１、１０−２、…、１０−ｎに接続されてよく、接続された外部機器１０−１、１０−２、…、１０−ｎとＡＶ信号を伝達することができる。そして、インターフェース装置２００は、外部機器１０−１、１０−２、…１０−ｎからウェイクアップ信号またはウェイクアップ開始命令を受信したり、外部機器１０−１、１０−２、…１０−ｎをウェイクアップするためのウェイクアップ信号を特定の外部機器に伝達したり、外部機器１０−１、１０−２、…１０−ｎの充電のための充電電源を供給することができる。
【００４９】
図１を説明するうえで、インターフェース装置２００は一つのケーブルコネクタ３００−１を用いて一つの外部機器１０−１と接続される実施形態について説明したが、ケーブルコネクタが１：ｎケーブルコネクタである場合、インターフェース装置２００は一つのケーブルコネクタを用いて複数の外部機器と接続することも可能である。
【００５０】
以下では、図２を参考にして、インターフェース装置２００の具体的な構成を説明する。
【００５１】
図２は、本実施形態に係るインターフェース装置２００の具体的な構成を説明する。
【００５２】
インターフェース装置２００は、通信インターフェース部２１０と、制御部２２０と、複数の収容部２３０および複数のスイッチング部２４０を含む。
【００５３】
通信インターフェース部２１０は、メディアプレーヤデバイス１００内の各構成と接続されるために形成され、メディアプレーヤデバイス１００内の各構成とＡ／Ｖ信号、制御信号を送受信し、電源部１１０から電源を入力される。
【００５４】
制御部２２０は、インターフェース装置２００内の各構成を制御する。具体的に、制御部２２０は複数の収容部２３０−１、２３０−２、…、２３０−ｎそれぞれに外部機器１０−１、１０−２、…、１０−ｎが接続されたか否かを検知し、接続された外部機器１０が充電可能な機器であるか否かを判断することができる。そして、外部機器１０が充電可能な機器である場合、制御部２２０はこれに対する情報をマイコン１２０に伝達して外部機器１０が充電されるようにすることができる。このとき、メディアプレーヤデバイス１００がスタンバイモードである場合、制御部２２０はマイコン１２０にウェイクアップ信号を伝送することができる。
【００５５】
そして、制御部２２０は、外部機器１０に対する充電が完了したり外部機器１０との接続が解除された場合、これに対する情報をマイコン１２０に伝達して外部機器１０に対する充電が完了するようにできる。
【００５６】
そして、制御部２２０は、マイコン１２０または外部機器１０−１から特定の外部機器１０−２に対するウェイクアップ開始命令を入力されると、入力されたウェイクアップ開始命令に基づいてウェイクアップが必要な外部機器１０−２を判断し、当該外部機器１０−２に接続される収容部２３０−２を介してウェイクアップ信号を伝達することができる。
【００５７】
そして、制御部２２０は、接続された外部機器１０のインターフェース種類を判断し、判断されたインターフェース種類によるインターフェースが適用されるようにスイッチング部２４０を制御する。具体的に、インターフェース装置２００は外部機器１０と新たなインターフェース（ＮＩＦ）方式および従来のインターフェース方式（例えば、ＵＳＢ（Ｕｎｉｖｅｒｓａｌ  Ｓｅｒｉａｌ  Ｂｕｓ）、Ｍｉｃｒｏ  ＵＳＢ、ＭＨＬ（Ｍｏｂｉｌｅ  Ｈｉｇｈ−Ｄｅｆｉｎｉｔｉｏｎ  Ｌｉｎｋ）、ＤｉｉＶＡ（Ｄｉｇｉｔａｌ  Ｉｎｔｅｒｆａｃｅ  ｆｏｒ  Ｖｉｄｅｏ  ａｎｄ  Ａｕｄｉｏ）など）を通じて各種データおよび制御信号を送受信できる。
【００５８】
ここで、新たなインターフェース（ＮＩＦ）方式とは、図６に示すようなコンタクトロケーションを有するインターフェース方式を意味するものとして、以下では、新たなインターフェースをＮＩＦ（Ｎｅｗ  Ｉｎｔｅｒｆａｃｅ）と称する。従って、制御部２２０は接続された外部機器１０が従来のインターフェース方式を用いるか、新たなインターフェース（ＮＩＦ）方式を用いるかを判断し、判断されたインターフェース方式が用いられるように当該外部機器１０に対応するスイッチング部２４０を制御することができる。
【００５９】
収容部２３０は、ケーブルコネクタ３００を介して外部機器１０と接続される。具体的に、収容部２３０は順次に番号が指定される複数のコンタクトロケーションを含んでよい。ここで、コンタクトロケーションは、ケーブルコネクタ３００のコネクタ３２０と電気的に接続されるピンまたは端子である。収容部２３０の具体的な形状については、図３を参考にして後述する。
【００６０】
スイッチング部２４０は、制御部２２０の制御により、外部機器１０に適用されるインターフェースタイプに対応するインターフェース方式が選択されるようにスイッチングする。図２を説明するうえで、それぞれの収容部の個数に対応するようにスイッチング部が複数個備えられるものとして説明したが、いくつかの収容部は特定のインターフェース専用に実現されてよく、この場合、スイッチング部は複数のインターフェースをサポートする収容部にのみ備えられる形態でも実現できる。
【００６１】
図３は、図２の収容部の具体的な形態を示す図である。
【００６２】
図３によると、収容部２３０は、複数のコンタクトロケーション２３１と、支持部２３３および金属支持部２３５を含む。このような収容部２３０はＭｉｃｒｏ  ＵＳＢ（Ｕｎｉｖｅｒｓａｌ  Ｓｅｒｉａｌ  Ｂｕｓ）コネクタ、Ｍｉｎｉ  ＵＳＢコネクタ、ＵＳＢコネクタ、ＭＨＬ（Ｍｏｂｉｌｅ  Ｈｉｇｈ−Ｄｅｆｉｎｉｔｉｏｎ  Ｌｉｎｋ）コネクタおよびＤｉｉＶＡ（Ｄｉｇｉｔａｌ  Ｉｎｔｅｒｆａｃｅ  ｆｏｒ  Ｖｉｄｅｏ  ａｎｄ  Ａｕｄｉｏ）コネクタのうちいずれか一つと互換する形態であってよい。
【００６３】
複数のコンタクトロケーション２３１は、図６に示すような新たなインターフェース（ＮＩＦ）方式と同様のピン配列であってよく、図７に示すようなＭｉｃｒｏ  ＵＳＢインターフェース、図８に示すようなＵＳＢインターフェース、図９に示すようなＭＨＬインターフェースおよび図１０に示すようなＤｉｉＶＡインターフェースのうちいずれか一つと互換してよい。
【００６４】
図４は、本実施形態に係るケーブルコネクタの一例である。
【００６５】
図４を参考によると、ケーブルコネクタ３００は両メディアプレーヤデバイス１００間またはメディアプレーヤデバイスと携帯用のデバイス間で電気的信号を伝達するのに使用されてよい。具体的に、ケーブルコネクタ３００はケーブル３２０およびケーブル３２０の両端に位置するコネクタ３１０を含む。
【００６６】
ケーブル３２０は、被覆内に一以上の信号線が形成される。ケーブルコネクタ３００が両デバイス間で接続される場合、ケーブル３２０内にある一以上の信号線を通じて両メディアプレーヤデバイス間で電気的信号および電源が伝達される。
【００６７】
コネクタ３１０はケーブル３２０の両端に形成される。具体的に、コネクタ３１０は順次に番号が指定される複数のコンタクトロケーションを含んでよい。ここで、コンタクトロケーションは上述の収容部２３０と電気的に接続されるピンまたは端子である。コネクタ３１０の具体的な形状については図５を参考にして後述する。
【００６８】
図４を説明するうえで、ケーブル３２０の両端に同一の形状のコネクタ３１０が備えられる例のみを示して説明しているが、実現時にはケーブルの両端に異なる形状を有するコネクタが接続されてよい。そして、実現時にはケーブルの一側には一つのコネクタ３１０が備えられ、ケーブル３２０の他側には複数のコネクタが備えられる形態でも実現できる。
【００６９】
図５は、図４のコネクタの具体的な形態を示す図である。
【００７０】
図５によると、コネクタ３１０は、複数のコンタクトロケーション３１１および前記複数のコンタクトロケーションを固定して収容するハウジング３１３、３１５を含む。このようなコネクタ３１０は、Ｍｉｃｒｏ  ＵＳＢ（Ｕｎｉｖｅｒｓａｌ  Ｓｅｒｉａｌ  Ｂｕｓ）コネクタ、Ｍｉｎｉ  ＵＳＢコネクタ、ＵＳＢコネクタ、ＭＨＬ（Ｍｏｂｉｌｅ  Ｈｉｇｈ−Ｄｅｆｉｎｉｔｉｏｎ  Ｌｉｎｋ）コネクタおよびＤｉｉＶＡ（Ｄｉｇｉｔａｌ  Ｉｎｔｅｒｆａｃｅ  ｆｏｒ  Ｖｉｄｅｏ  ａｎｄ  Ａｕｄｉｏ）コネクタのうちいずれか一つと互換する形態であってよい。
【００７１】
複数のコンタクトロケーション３１１は、図６に示すような新たなインターフェース（ＮＩＦ）方式と同様のピン配列であってよく、図７に示すようなＭｉｃｒｏ  ＵＳＢインターフェース、図８に示すようなＵＳＢインターフェース、図９に示すようなＭＨＬインターフェースおよび図１０に示すようなＤｉｉＶＡインターフェースのうちいずれか一つと互換してよい。
【００７２】
図６は、本発明の実施形態に係る新たなインターフェース（ＮＩＦ）構造を説明するための図である。
【００７３】
具体的に、本実施形態に係るインターフェースは、複数のデータが伝送できるように複数のペアコンタクトロケーショングループおよびグラウンド処理のためのグラウンドコンタクトロケーションを含む。ここで、コンタクトロケーショングループは一対のメディアプレーヤデバイス間でＡＶ信号、制御信号などをディファレンシャルシグナリング方式で送受信するピンまたは端子のセットである。ここで、ディファレンシャルシグナリングは、一つの信号と前記信号の位相とは反対の位相をもつ信号を対にして伝送する技術である。
【００７４】
図６によると、コンタクトロケーション（または端子）１、２は第１データ伝送のために指定された第１ペアコンタクトロケーショングループである。具体的に、第１ペアコンタクトロケーショングループはディファレンシャルシグナリング（ｄｉｆｆｅｒｅｎｔｉａｌ  ｓｉｇｎａｌｉｎｇ）のための第１ペアプラスコンタクトロケーション（Ｌａｎｅ０＋）および第１ペアマイナスコンタクトロケーション（Ｌａｎｅ０−）を含む。このような第１ペアプラスコンタクトロケーションは図７に示すように、Ｍｉｃｒｏ  ＵＳＢのＶＣＣコンタクトロケーションに対応でき、第１ペアマイナスコンタクトロケーションは図７に示すようにＭｉｃｒｏ  ＵＳＢのＤａｔａ−コンタクトロケーションに対応できる。そして、第１ペアコンタクトロケーショングループはウェイクアップ手続きを行なうのに用いられることができる。
【００７５】
そして、コンタクトロケーション３、４は第２データ伝送のために指定された第２ペアコンタクトロケーショングループである。具体的に、第２ペアコンタクトロケーショングループはディファレンシャルシグナリング（ｄｉｆｆｅｒｅｎｔｉａｌ  ｓｉｇｎａｌｉｎｇ）のための第２ペアプラスコンタクトロケーション（Ｌａｎｅ１＋）および第２ペアマイナスコンタクトロケーション（Ｌａｎｅ１−）を含む。このような第２ペアプラスコンタクトロケーションは図７に示すように、Ｍｉｃｒｏ  ＵＳＢのＤａｔａ＋コンタクトロケーションに対応でき、第２ペアマイナスコンタクトロケーションは図７に示すようにＭｉｃｒｏ  ＵＳＢのＩＤコンタクトロケーションに対応できる。そして、第２ペアコンタクトロケーショングループは外部機器を充電するための電源を出力するのに用いられることができる。
【００７６】
そして、コンタクトロケーション５は、グラウンド処理のためのグラウンドコンタクトロケーションである。このようなグラウンドコンタクトロケーションは図７に示すように、Ｍｉｃｒｏ  ＵＳＢのＧＮＤコンタクトロケーションに対応できる。
【００７７】
以上のように、新たなインターフェース（ＮＩＦ）構造は、図７に示すようなＭｉｃｒｏ  ＵＳＢインターフェースと互換性をもち、二種類のデータを伝送できるインターフェースをサポートする。
【００７８】
一方、図６を説明するうえで、図６のコンタクトロケーションがＭｉｃｒｏ  ＵＳＢに互換することについてのみ説明したが、図６のコンタクトロケーションのそれぞれは図７のＵＳＢインターフェース、図８のＭＨＬインターフェースにも互換する形態で実現できる。
【００７９】
具体的に、図６のコンタクトロケーションがＵＳＢインターフェースと互換する場合、第１ペアプラスコンタクトロケーションは図８に示すようにＵＳＢのＶＣＣコンタクトロケーションに対応でき、第１ペアマイナスコンタクトロケーションは図８に示すようにＵＳＢのＤａｔａ−コンタクトロケーションに対応できる。そして、第２ペアプラスコンタクトロケーションは図８に示すようにＵＳＢのＤａｔａ＋コンタクトロケーションに対応でき、第２ペアマイナスコンタクトロケーションは図８に示すようにＵＳＢのＧＮＤコンタクトロケーションに対応できる。
【００８０】
そして、図６のコンタクトロケーションがＭＨＬインターフェースと互換する場合、第１ペアプラスコンタクトロケーションは図９に示すようにＭＨＬのＶＢＵＳコンタクトロケーションに対応でき、第１ペアマイナスコンタクトロケーションは図９に示すようにＭＨＬのＭＨＬ−コンタクトロケーションに対応できる。そして、第２ペアプラスコンタクトロケーションは図９に示すようにＭＨＬのＭＨＬ＋コンタクトロケーションに対応でき、第２ペアマイナスコンタクトロケーションは図９に示すようにＭＨＬのＣＢＵＳコンタクトロケーションに対応できる。そして、図６のグラウンドコンタクトロケーションは図９に示すようにＭＨＬのＭＨＬ  ＧＮＤコンタクトロケーションに対応できる。
【００８１】
一方、図６を説明するうえで、新たなインターフェース（ＮＩＦ）は５つのコンタクトロケーションを有するものとして説明したが、実現時には特定電源を伝送する電源コンタクトロケーションを加えて６つのコンタクトロケーションを用いる形態で実現できる。このとき、電源コンタクトロケーションは１または６番ナンバーで指定されることができる。
【００８２】
この場合、新たなインターフェース（ＮＩＦ）は、図１０に示されたＤｉｉＶＡインターフェースと互換する形態でも実現できる。
【００８３】
具体的に、電源コンタクトロケーションが６番にナンバーリングされる場合、第１ペアプラスコンタクトロケーションは図１０に示すようにＤｉｉＶＡのＶＬＯ＋コンタクトロケーションに対応でき、第１ペアマイナスコンタクトロケーションは図１０に示すようにＤｉｉＶＡのＶＬＯ−コンタクトロケーションに対応できる。そして、第２ペアプラスコンタクトロケーションは図１０に示すようにＤｉｉＶＡのＧＮＤコンタクトロケーションに対応でき、第２ペアマイナスコンタクトロケーションは図１０に示すようにＤｉｉＶＡのＧＮＤコンタクトロケーションに対応できる。そして、グラウンドコンタクトロケーションは図１０に示すようにＤｉｉＶＡのＨＬ＋コンタクトロケーションに対応でき、電源コンタクトロケーションは図１０に示すようにＤｉｉＶＡのＨＬ−コンタクトロケーションに対応できる。
【００８４】
一方、電源コンタクトロケーションが１番にナンバーリングされる場合、第１ペアプラスコンタクトロケーションは図１０に示すようにＤｉｉＶＡのＶＬＯ−コンタクトロケーションに対応でき、第１ペアマイナスコンタクトロケーションは図１０に示すようにＤｉｉＶＡのＧＮＤコンタクトロケーションに対応できる。そして、第２ペアプラスコンタクトロケーションは図１０に示すようにＤｉｉＶＡのＧＮＤコンタクトロケーションに対応でき、第２ペアマイナスコンタクトロケーションは図１０に示すようにＤｉｉＶＡのＨＬ＋コンタクトロケーションに対応できる。そして、グラウンドコンタクトロケーションは図１０に示すようにＤｉｉＶＡのＨＬ−コンタクトロケーションに対応でき、電源コンタクトロケーションは図１０に示すようにＤｉｉＶＡのＶＬＯ＋コンタクトロケーションに対応できる。
【００８５】
図１１は、本発明の一実施形態に係る新たなインターフェース（ＮＩＦ）構造によりデータを送受信する方法を説明するための図である。
【００８６】
図１１によると、新たなインターフェース（ＮＩＦ）構造は、二つのレーン（ｌａｎｅ）構造を有し、一つのレーン構造を通じて一つのＡｕｄｉｏ／Ｖｉｄｅｏ／Ｄａｔａを送受信できる。具体的に、第１レーンを通じて第１データを送受信でき、第２レーンを通じて第２データを送受信できる。このとき、第１レーンを用いてウェイクアップ信号などを伝送でき、第２レーンを用いて外部機器に対する充電電源を供給できる。即ち、外部機器に対して充電を行ないつつ、Ａ／Ｖ／Ｄを同時に伝送できるようになる。具体的に、レーン構造の具体的な形態は図１２と同様である。
【００８７】
図１１および図１２を説明するうえで、一つのレーン構造が双方向通信を行なうものとして説明したが、実現時には片方向通信を行なう形態でも実現できる。
【００８８】
図１３は、本発明の一実施形態に係る新たなインターフェース（ＮＩＦ）を通じてメディアプレーヤデバイスをウェイクアップする方法の例を説明するための図である。
【００８９】
図１３によると、インターフェース装置２００は外部機器１００’（携帯用のデバイスを含む）とケーブルコネクタを通じて接続されてよく、コネクタ内の複数のコンタクトロケーションのうち一つのコンタクトロケーションを用いて外部機器１００’の接続を認識することができる。具体的に、インターフェース装置２００は接続された複数のコンタクトロケーションのうち第１ペアマイナスコンタクトロケーションを用いて外部機器１００’が充電可能な機器であるかを把握でき、当該機器が充電可能な機器である場合、これをマイコン１２０に充電可能な機器が接続されたことを通知できる。本実施形態では、インターフェース装置２００が外部機器の接続を認識したものと説明したが、図１３に示すように、マイコン１２０は直接複数のコンタクトロケーションのうち一つのロケーションから受信される信号を検知して外部機器の接続を認識することができる。
【００９０】
このとき、メディアプレーヤデバイス１００がスタンバイモードである場合、インターフェース装置２００はマイコン１２０にウェイクアップ信号を伝達することができる。ウェイクアップ信号または充電可能な機器が接続されたことを報知する信号を受信したマイコン１２０は、電源部１１０を制御してウェイクアップ信号内のウェイクアップモードによる電源が出力されるように制御することができる。ウェイクアップモードによる電源を電源部１１０が出力すると、インターフェース装置２００はペアコンタクトロケーショングループのうち一つを用いて外部機器１００’に当該電源を供給することができる。
【００９１】
一方、図１３を説明するうえで、一つのペアコンタクトロケーションを用いて外部機器１００’を充電することについてのみ説明したが、図１６に示すように別途の電源コンタクトロケーションを用いて外部機器１００’に電源を供給する形態でも実現できる。即ち、図１０に関連して説明したような電源ロケーションを用いて外部機器に電源を供給することができる。なお、二つのペアコンタクトロケーショングループの全てを用いたり、一つのペアコンタクトロケーショングループと電源コンタクトロケーションを用いて外部機器１００’に電源を供給する形態でも実現できる。即ち、複数のラインを用いて外部機器１００’により十分な電流を供給する形態でも実現できる。
【００９２】
なお、図１３を説明するうえで、外部機器１００’が接続される場合、直ちにウェイクアップを行なって外部機器に対する充電電源を提供する形態として説明したが、実現時に外部機器１００’からウェイクアップ信号が受信された場合、ウェイクアップを行ない、外部機器に充電電源を提供する形態でも実現できる。
【００９３】
以下では図１３を参考にして、外部機器１００’をウェイクアップする動作について説明する。
【００９４】
まず、外部機器１００’のウェイクアップが必要な場合、マイコン１２０はインターフェース装置２００に当該外部機器１００’に図１５に示すようなウェイクアップ開始命令を伝達することができる。ここで、ウェイクアップ開始命令はウェイクアップ命令のスタートを報知する開始（Ｓｔａｒｔ）フィールド、ウェイクアップが必要なデバイスを報知するウェイクアップポート（Ｗａｋｅｕｐ  Ｐｏｒｔ）フィールド、ウェイクアップのモードを報知するウェイクアップモード（Ｗａｋｅｕｐ  Ｍｏｄｅ）フィールド、および確認信号（Ａｃｋ）フィールドを含む。
【００９５】
ウェイクアップ開始命令を入力されたインターフェース装置２００は、受信されたウェイクアップ開始命令のうちウェイクアップポートフィールドを参考にしてウェイクアップする外部機器を判断し、当該外部機器と接続された主収容部に、即ち、当該外部機器に図１４に示すようなウェイクアップ信号を伝達することができる。ここで、ウェイクアップ信号はウェイクアップ開始命令のうちウェイクアップポートフィールドの省略されたウェイクアップ命令のスタートを報知する開始（Ｓｔａｒｔ）フィールド、ウェイクアップのモードを報知するウェイクアップモード（Ｗａｋｅｕｐ  Ｍｏｄｅ）フィールド、および確認信号（Ａｃｋ）フィールドを含んでよい。
【００９６】
このとき、インターフェース部２００は複数のコンタクトロケーションのうち第１ペアコンタクトロケーショングループを用いて、外部機器１００’にウェイクアップ信号を送信することができる。または、一つのコンタクトロケーションのみを用いて外部機器１００’にウェイクアップ信号を送信することができる。
【００９７】
以上では、メディアプレーヤデバイス１００で特定の外部機器に対するウェイクアップ開始命令を生成して伝達することについて説明したが、ウェイクアップ開始命令は外部機器１００’から受信されてよい。
【００９８】
具体的に、外部機器１０−１から外部機器１０−２に対するウェイクアップ開始命令を受信すると、インターフェース装置２００は入力されたウェイクアップ開始命令のうちウェイクアップポートフィールドを参考にして、ウェイクアップする外部機器を判断し、判断された外部機器にウェイクアップ信号を伝送することができる。
【００９９】
図１４は、本実施形態に係るウェイクアップ信号の構造を示す図である。
【０１００】
図１４によると、ウェイクアップ信号は、開始（Ｓｔａｒｔ）フィールド、ウェイクアップモード（Ｗａｋｅｕｐ  Ｍｏｄｅ）フィールドおよび確認信号（Ａｃｋ）フィールドを含んでよい。
【０１０１】
開始フィールドは、ウェイクアップ命令の開始を報知するフィールドとして、ハイレベルからローレベルにダウンされた後、予め設定された時間だけ持続する信号であってよい。実現時には、ローレベルからハイレベルにアップされた後、予め設定された時間だけ持続する信号を用いてもよい。
【０１０２】
ウェイクアップモードフィールドは、ウェイクアップのモードを報知するフィールドとして、メディアプレーヤデバイス（または、携帯用のデバイス）の複数の動作モードそれぞれに対応する複数のウェイクアップモード（Ｗａｋｅｕｐ  １  ｓｔｅｐ、Ｗａｋｅｕｐ  ２  ｓｔｅｐ、Ｗａｋｅｕｐ  ３  ｓｔｅｐ）および充電モード（Ｃｈａｒｇｉｎｇ  ｏｎｌｙ）を含んでよい。
【０１０３】
確認信号フィールドは、ウェイクアップ信号を入力される外部機器１００’がウェイクアップ信号を伝達したインターフェース装置２００にウェイクアップ信号を受信したことを報知する信号である。
【０１０４】
図１５は、本実施形態に係るウェイクアップ開始命令の構造を示す図である。
【０１０５】
図１５によると、ウェイクアップ開始命令は開始（Ｓｔａｒｔ）フィールド、ウェイクアップポート（Ｗａｋｅｕｐ  Ｐｏｒｔ）フィールド、ウェイクアップモード（Ｗａｋｅｕｐ  Ｍｏｄｅ）フィールド、および確認信号（Ａｃｋ）フィールドを含む。
【０１０６】
開始フィールドは、ウェイクアップ命令の開始を報知するフィールドとして、ハイレベルからローレベルにダウンされた後、予め設定された時間だけ持続する信号であってよい。実現時には、ローレベルからハイレベルにアップされた後、予め設定された時間だけ持続する信号を用いてもよい。
【０１０７】
ウェイクアップポートは、ウェイクアップが必要な外部機器を報知するフィールドである。
【０１０８】
ウェイクアップモードフィールドは、ウェイクアップのモードを報知するフィールドとして、メディアプレーヤデバイス（または、携帯用のデバイス）の複数の動作モードそれぞれに対応する複数のウェイクアップモード（Ｗａｋｅｕｐ  １  ｓｔｅｐ、Ｗａｋｅｕｐ  ２  ｓｔｅｐ、Ｗａｋｅｕｐ  ３  ｓｔｅｐ）および充電モード（Ｃｈａｒｇｉｎｇ  ｏｎｌｙ）を含んでよい。
【０１０９】
確認信号フィールドは、ウェイクアップ信号を入力される外部機器１００’がウェイクアップ信号を伝達したインターフェース装置２００にウェイクアップ信号を受信したことを報知する信号である。
【０１１０】
図１６は、６ピン用に実現された新たなインターフェース（ＮＩＦ）によりメディアプレーヤデバイスが外部携帯用機器を充電する方法を説明するための図である。
【０１１１】
図１６によると、６つのコンタクトロケーションのうち電源コンタクトロケーションを通じて外部機器１００’に電源を供給することが分かる。図示の例では、電源コンタクトロケーションのみを用いて外部機器に電源を供給するものだけを示して説明したが、実現時には電源コンタクトロケーションと追加的なペアコンタクトロケーショングループを用いて電源を供給する形態でも実現できる。
【０１１２】
図１７は、５ピン用に実現された新たなインターフェース（ＮＩＦ）によりメディアプレーヤデバイスが外部携帯用機器を充電する方法を説明するための図である。
【０１１３】
図１７によると、５つのコンタクトロケーションのうち第２ペアコンタクトロケーショングループを通じて外部機器１００に電源を供給することが分かる。図１７には、ペアコンタクトロケーショングループを用いて電源を供給するものだけを示したが、実現時にはペアコンタクトロケーショングループのうち一つのコンタクトロケーションのみを用いて外部機器１００’に電源を供給する形態でも実現できる。
【０１１４】
図１８は、本実施形態に係るメディアプレーヤデバイスがＭｉｃｒｏ  ＵＳＢインターフェースを有するデバイスに接続された場合のインターフェース装置２００の動作を説明するための図である。
【０１１５】
図１８に示すように、メディアプレーヤデバイス６００がＭｉｃｒｏ  ＵＳＢインターフェース方式をもつ外部機器５００と接続された場合、制御部６３０（図２の２２０に相当）は接続された外部機器５００がＵＳＢインターフェース方式であることを検知し、ＵＳＢインターフェース方式で外部機器５００とインターフェースできるように、スイッチング部６１０（図２の２４０に相当）に制御信号を出力することができる。このとき、メディアプレーヤデバイス６００は複数のコンタクトロケーションのうち第２ペアコンタクトロケーションを通じて充電用の電源を供給されることができる。
【０１１６】
図１９は、本実施形態に係るメディアプレーヤデバイスが新たなインターフェース（ＮＩＦ）を有するデバイスに接続された場合のインターフェース装置２００の動作を説明するための図である。
【０１１７】
図１９に示すように、メディアプレーヤデバイス６００が新たなインターフェース（ＮＩＦ）方式をもつ外部機器５００と接続された場合、制御部６３０（図２の２２０に相当）は接続された外部機器５００が新たなインターフェース（ＮＩＦ）方式であることを検知し、新たなインターフェース（ＮＩＦ）方式で外部機器５００とインターフェースできるように、スイッチング部６１０（図２の２４０に相当）に制御信号を出力することができる。このとき、メディアプレーヤデバイス６００は複数のコンタクトロケーションのうち第２ペアコンタクトロケーションを通じて充電用の電源を供給されることができる。
【０１１８】
図２０は、本発明の一実施形態に係る互いに異なるインターフェースが適用されるメディアプレーヤデバイスに接続された外部機器の充電方法を示すフローチャートである。
【０１１９】
まず、外部機器がメディアプレーヤデバイスに接続されると（Ｓ２００１）、接続された外部機器がＭｉｃｒｏ  ＵＳＢインターフェース方式であるか新たなインターフェース（ＮＩＦ）方式であるかを判断する（Ｓ２００３）。
【０１２０】
判断の結果、接続された外部機器がＭｉｃｒｏ  ＵＳＢインターフェース方式である場合（Ｓ２００３−Ｙ）、Ｍｉｃｒｏ  ＵＳＢインターフェース方式でインターフェースできるように、インターフェース装置２００内のスイッチング部２４０をスイッチングする（Ｓ２００５）。そして、Ｍｉｃｒｏ  ＵＳＢインターフェース方式で外部機器に充電用の電源を供給したりデータ通信を行なうことができる（Ｓ２００７）。
【０１２１】
一方、接続された外部機器が新たなインターフェース（ＮＩＦ）方式である場合（Ｓ２００３−Ｎ）、メディアプレーヤデバイスをウェイクアップさせるウェイクアップ手続きを行なう（Ｓ２００９）。
【０１２２】
次いで、新たなインターフェース（ＮＩＦ）方式によるデータ通信を行ない（Ｓ２０１１）、新たなインターフェース（ＮＩＦ）方式でＡ／Ｖ伝送およびデータ伝送を行なう（Ｓ２０１３）。
【０１２３】
もし、ウェイクアップ手続きを行なった後に充電命令を受信すると（Ｓ２０１５），メディアプレーヤデバイスがスタンバイモードである場合であるか否かを判断する（Ｓ２０１７）。
【０１２４】
判断の結果、メディアプレーヤデバイスがスタンバイモードでないノーマルモードである場合、外部機器に充電用の電源を供給する（Ｓ２０１９）。
【０１２５】
一方、メディアプレーヤデバイスがスタンバイモードである場合、メディアプレーヤデバイスの画面をオンさせずに、メディアプレーヤデバイスをオンさせた後（Ｓ２０２１）、外部機器に充電用の電源を供給する（Ｓ２０２３）。次いで、充電が完了すると、メディアプレーヤデバイスをスタンバイモードに切り替える（Ｓ２０２５）。
【０１２６】
図２０を説明するうえで、接続された外部機器がＭｉｓｃｒｏ  ＵＳＢインターフェース方式であるか新たなインターフェース（ＮＩＦ）方式かのみを判断することについてのみ説明したが、インターフェース装置がＭｉｃｒｏ  ＵＳＢインターフェース方式の以外に、図８、９、１０に示すようなＵＳＢインターフェース、ＭＨＬインターフェース、ＤｉｉＶＡインターフェース方式のうち一つと互換可能である場合、当該インターフェース方式と新たなインターフェース（ＮＩＦ）方式を区別して用いる形態でも実現できる。
【０１２７】
一方、本発明の属する技術分野の当業者は、本発明がその技術的思想や必須の特徴を変更せずに、具体的な形態で実施され得ることを理解できるだろう。
【０１２８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１２９】
１００、６００  メディアプレーヤデバイス
１１０  電源部
１２０  マイコン
１３０  ユーザインターフェース部
２００  インターフェース装置
２１０  通信インターフェース部
２２０  制御部
２３０  収容部
２３１  コンタクトロケーション
２３３  支持部
２３５  金属支持部
２４０、６１０  スイッチング部
３００  ケーブルコネクタ
３１０  コネクタ
３１１  コンタクトロケーション
３１３、３１５  ハウジング
３２０  ケーブル
【図１】
2011248891.tif 000003
【図２】
2011248891.tif 000004
【図３】
2011248891.tif 000005
【図４】
2011248891.tif 000006
【図５】
2011248891.tif 000007
【図６】
2011248891.tif 000008
【図７】
2011248891.tif 000009
【図８】
2011248891.tif 000010
【図９】
2011248891.tif 000011
【図１０】
2011248891.tif 000012
【図１１】
2011248891.tif 000013
【図１２】
2011248891.tif 000014
【図１３】
2011248891.tif 000015
【図１４】
2011248891.tif 000016
【図１５】
2011248891.tif 000017
【図１６】
2011248891.tif 000018
【図１７】
2011248891.tif 000019
【図１８】
2011248891.tif 000020
【図１９】
2011248891.tif 000021
【図２０】
2011248891.tif 000022